(57)【要約】【課題】  印刷装置のみを用いて簡便に、所望の画像を出力できる印刷装置を提供すること。【解決手段】制御回路２５は、メモリカードＭＣがメモリカードスロット２１装着されると、ＨＤＤ２３にフォルダを作成し、メモリカードＭＣに格納されている画像データの縮小画像データを作成し、画像データと関連付けてＨＤＤ２３のフォルダに格納する。ＨＤＤ２３に格納されている画像データが検索される際には、制御回路２５によって、サムネイル画像が表示パネル２６１に表示され、印刷を所望するサムネイル画像が選択されると、ＨＤＤ２３から対応する画像データが読み出される。制御回路２５は読み出された画像データに対して画質調整処理を施し、印刷画像として出力する。【選択図】  図２
2006035611.tif 000002
【特許請求の範囲】
【請求項１】
印刷装置であって、
画像データを格納するための本体記憶装置と、
前記印刷装置外部の外部メモリに格納されている画像データを前記本体記憶装置へと送信するデータ送信手段と、
画像データ並びに印刷に関わる情報を表示可能な表示手段と、
前記本体記憶装置に格納されている複数の画像データの中から１または複数の画像データを用いた画像を所定の順序で前記表示手段に表示させて、前記本体記憶装置に格納されている複数の画像データの中から所望の画像データを検索するための画像データ検索手段と、
前記検索された画像データを用いて画像を出力する印刷手段とを備える印刷装置。
【請求項２】
請求項１に記載の印刷装置はさらに、
前記外部メモリから前記本体記憶装置に対して画像データを送信する際に、前記送信される画像データの縮小画像データを生成する縮小画像データ生成手段と、
前記生成された縮小画像データと前記送信される画像データとを関連付けて前記本体記憶装置に格納する第１の画像データ管理手段とを備え、
前記所望の画像データの検索は、前記本体記憶装置に格納されている複数の画像データにそれぞれ関連付けられた１または複数の縮小画像データを用いて縮小画像を所定の順序で前記表示手段に表示し、前記表示手段に表示されている前記縮小画像の中から特定された前記縮小画像の縮小画像データに関連付けられた画像データを検索された画像データとすることによって実行される印刷装置。
【請求項３】
請求項２に記載の印刷装置において、
前記縮小画像データの生成は、前記表示手段の表示解像度に合わせて、前記送信される画像データの解像度を変換することによって実行される印刷装置。
【請求項４】
請求項１ないし請求項３のいずれかに記載の印刷装置はさらに、
前記外部メモリから前記本体記憶装置に対して画像データを送信させる際には、送信操作単位で区画される格納領域を前記本体記憶装置に形成し、その形成された格納領域に対して前記外部メモリに格納されている画像データを格納する第２の画像データ管理手段を備える印刷装置。
【請求項５】
請求項４に記載の印刷装置において、
前記画像データ検索手段による画像データの検索は、前記格納領域単位にて実行されると共に、前記格納領域に格納されている複数の画像データの中から任意の一の画像データまたは縮小画像データを用いた画像を前記表示手段に表示させることによって実行される印刷装置。
【請求項６】
請求項１ないし請求項５のいずれかに記載の印刷装置はさらに、
前記外部メモリが装着されると共に装着された前記外部メモリに対してデータの読み書きを実行する装着部を備え、
前記外部メモリに格納されている画像データの前記本体記憶装置への送信は、前記装着部に装着されている外部メモリに格納されている画像データを前記本体記憶装置へと送信させることによって実行される印刷装置。
【請求項７】
請求項６に記載の印刷装置はさらに、
前記印刷蔵置の電源オフ時に、前記装着部に対する前記外部メモリの装着を検出し、前記本体記憶装置および前記装着部に対してのみ電源を供給する電源供給制御手段を備える印刷装置。
【請求項８】
請求項１ないし請求項５のいずれかに記載の印刷装置において、
前記外部メモリは撮像装置に装着されており、
前記印刷装置はさらに、
前記撮像装置とデータを授受するための入出力部を備え、
前記外部メモリに格納されている画像データの前記本体記憶装置への送信は、前記撮像装置に装着されている外部メモリに格納されている画像データを、前記入出力部を介して前記本体記憶装置へと送信させることによって実行される印刷装置。
【請求項９】
請求項１ないし請求項８のいずれかに記載の印刷装置において、
前記所定の順序は、前記画像データに関連付けられている時間順序、名前順序、または前記画像データのファイル形式に基づく順序のいずれかである印刷装置。
【請求項１０】
画像データを格納するための本体記憶装置を備える印刷装置における画像データの印刷方法であって、
前記本体記憶装置に格納されている複数の画像データの中から１または複数の画像データを用いた画像を所定の順序で表示手段に表示し、
表示手段に表示されている画像に対する選択入力を検出すると、前記選択された画像の画像データに対して選択されたことを示す選択マークを付与し、
前記選択マークが付与された画像データを用いて画像を出力する印刷方法。
【発明の詳細な説明】
【技術分野】
【０００１】
本発明は、パーソナルコンピュータを用いることなく画像データを用いた画像の印刷が可能な印刷装置、および印刷装置における印刷方法に関する。
【背景技術】
【０００２】
近年、撮像画像をディジタル画像データとして記録可能なディジタルスチルカメラ（ＤＳＣ）が広く普及している。ＤＳＣにて生成された画像データを用いた印刷は、パーソナルコンピュータを介して通常の印刷装置によって行われる。また、ＤＳＣにて生成装置から画像データを用いた印刷をより簡単に実行可能にするために、パーソナルコンピュータを用いることなく、単独で画像データに基づく画像を印刷媒体上に形成可能な印刷装置が実用化されている。これら印刷装置は、一般的に、スタンドアローン型の印刷装置、印刷機能に加え複写機能、原稿読み取り機能といった複数の機能を備えるマルチファンクション型の印刷装置として実用化されている（例えば、特許文献１、２参照）。
【０００３】
スタンドアローン型の印刷装置において、ＤＳＣにて生成された画像データを用いた画像の印刷を行う場合には、画像データが格納された外部メモリを印刷装置に装着することにより、あるいは、ＤＳＣと印刷装置とを接続ケーブルで接続することによって、外部メモリに格納されている画像データが印刷装置に転送される。転送された画像データは、イメージ展開用メモリ上に展開され、所定の画像処理が施された後、プリンタドライバを介して印刷画像として印刷媒体上に出力される。印刷が実行されると、イメージ展開用メモリ上に展開されていた画像データはクリアされる。
【０００４】
【特許文献１】特開平１０−３０４１１０号公報
【特許文献２】特開平１１−１９６２４７号公報
【発明の開示】
【発明が解決しようとする課題】
【０００５】
従来の印刷装置では、所望の画像データの画像を印刷する場合にはパーソナルコンピュータを起動し、所望の画像データを選択する必要があった。また、パーソナルコンピュータを必要としないスタンドアローン型の印刷装置であっても、印刷装置に対して画像データを再度転送した上で、印刷処理を実行させなければならなかった。このように、従来の印刷装置には、印刷装置のみを用いて、必要なときに、簡便に、所望の画像を得ることができないという課題があった。
【０００６】
本発明は、上記課題を解決するためになされたものであり、印刷装置のみを用いて簡便に、所望の画像を出力できる印刷装置を提供することを目的とする。
【課題を解決するための手段】
【０００７】
上記課題を解決するために本発明の第１の態様は、印刷装置を提供する。本発明の第１の態様に係る印刷装置は、画像データを格納するための本体記憶装置と、前記印刷装置外部の外部メモリに格納されている画像データを前記本体記憶装置へと送信するデータ送信手段と、画像データ並びに印刷に関わる情報を表示可能な表示手段と、前記本体記憶装置に格納されている複数の画像データの中から１または複数の画像データを用いた画像を所定の順序で前記表示手段に表示させて、前記本体記憶装置に格納されている複数の画像データの中から所望の画像データを検索するための画像データ検索手段と、前記検索された画像データを用いて画像を出力する印刷手段とを備えることを特徴とする。
【０００８】
本発明の第１の態様に係る印刷装置によれば、画像データ並びに印刷に関わる情報を表示可能な表示手段に、本体記憶装置に格納されている複数の画像データの中から１または複数の画像データを用いた画像を所定の順序で表示させて、本体記憶装置に格納されている複数の画像データの中から所望の画像データを検索し、検索された画像データを用いて画像を出力することができるので、印刷装置のみを用いて簡便に、所望の画像を出力させることができる。
【０００９】
本発明の第１の態様に係る印刷装置はさらに、前記外部メモリから前記本体記憶装置に対して画像データを送信する際に、前記送信される画像データの縮小画像データを生成する縮小画像データ生成手段と、前記生成された縮小画像データと前記送信される画像データとを関連付けて前記本体記憶装置に格納する第１の画像データ管理手段とを備え、
前記所望の画像データの検索は、前記本体記憶装置に格納されている複数の画像データにそれぞれ関連付けられた１または複数の縮小画像データを用いて縮小画像を所定の順序で前記表示手段に表示し、前記表示手段に表示されている前記縮小画像の中から特定された前記縮小画像の縮小画像データに関連付けられた画像データを検索された画像データとすることによって実行されても良い。
【００１０】
本実施例の第１の態様に係る印刷装置によれば、送信される画像データの縮小画像データを生成し、生成された縮小画像データと送信される画像データとを関連付けて本体記憶装置に格納し、本体記憶装置に格納されている複数の画像データにそれぞれ関連付けられた１または複数の縮小画像データを用いて縮小画像を所定の順序で表示手段に表示することによって所望の画像データが選択されるので、本体記憶装置に格納されてる複数の画像データから、容易且つ迅速に所望の画像データを検索することができる。
【００１１】
本発明の第１の態様に係る印刷装置において、前記縮小画像データの生成は、前記表示手段の表示解像度に合わせて、前記送信される画像データの解像度を変換することによって実行されても良い。かかる場合には、表示手段に表示される縮小画像の見栄えを向上させることが可能となり、画像の判別精度を向上させることができる。
【００１２】
本発明の第１の態様に係る印刷装置はさらに、前記外部メモリから前記本体記憶装置に対して画像データを送信させる際には、送信操作単位で区画される格納領域を前記本体記憶装置に形成し、その形成された格納領域に対して前記外部メモリに格納されている画像データを格納する第２の画像データ管理手段を備えても良い。かかる場合には、本体記憶装置において画像データをグループ化して保存することができる。
【００１３】
本発明の第１の態様に係る印刷装置において、前記画像データ検索手段による画像データの検索は、前記格納領域単位にて実行されると共に、前記格納領域に格納されている複数の画像データの中から任意の一の画像データまたは縮小画像データを用いた画像を前記表示手段に表示させることによって実行されても良い。かかる場合には、画像データの検索が格納領域単位にて実行されるので、所望の画像データの検索を効率よく実行することができる。
【００１４】
本発明の第１の態様に係る印刷装置はさらに、前記外部メモリが装着されると共に装着された前記外部メモリに対してデータの読み書きを実行する装着部を備え、
前記外部メモリに格納されている画像データの前記本体記憶装置への送信は、前記装着部に装着されている外部メモリに格納されている画像データを前記本体記憶装置へと送信させることによって実行されても良い。かかる場合には、送信操作単位とは、前記外部メモリが前記装着部に装着されてから取り外されるまでの操作の単位を意味する。
【００１５】
本発明の第１の態様に係る印刷装置はさらに、前記印刷装置の電源オフ時に、前記装着部に対する前記外部メモリの装着を検出し、前記本体記憶装置および前記装着部に対してのみ電源を供給する電源供給制御手段を備えても良い。かかる場合には、装着部に対する外部メモリの装着による印刷装置の作動を防止し、本体記憶装置に対する画像データの送信のみを実行することができる。
【００１６】
本発明の第１の態様に係る印刷装置において、前記外部メモリは撮像装置に装着されており、
前記印刷装置はさらに、前記撮像装置とデータを授受するための入出力部を備え、
前記外部メモリに格納されている画像データの前記本体記憶装置への送信は、前記撮像装置に装着されている外部メモリに格納されている画像データを、前記入出力部を介して前記本体記憶装置へと送信させることによって実行されても良い。かかる場合には、送信操作単位とは、前記入出力部を介した前記画像データの送信開始から送信終了までの操作の単位を意味する。
【００１７】
本発明の第１の態様に係る印刷装置において、前記所定の順序は、前記画像データに関連付けられている時間順序、名前順序、または前記画像データのファイル形式に基づく順序のいずれかであっても良い。
【００１８】
本発明の第２の態様は、画像データを格納するための本体記憶装置を備える印刷装置における画像データの印刷方法を提供する。本発明の第２の態様に係る印刷方法は、前記本体記憶装置に格納されている複数の画像データの中から１または複数の画像データを用いた画像を所定の順序で表示手段に表示し、表示手段に表示されている画像に対する選択入力を検出すると、前記選択された画像の画像データに対して選択されたことを示す選択マークを付与し、前記選択マークが付与された画像データを用いて画像を出力することを特徴として備える。
【００１９】
本発明の第２の態様に係る印刷方法によれば、本体記憶装置に格納されている複数の画像データの中から１または複数の画像データを用いた画像を所定の順序で表示手段に表示して、選択された画像の画像データに対して選択マークを付与し、選択マークが付与された画像データを用いて画像を出力するので、印刷装置のみを用いて簡便に、所望の画像を出力させることができる。本発明の第２の態様に係る印刷方法は、この他にも、印刷処理プログラム、および印刷処理プログラムを記録したコンピュータが読み取り可能な記録媒体としても実現され得る。
【発明を実施するための最良の形態】
【００２０】
以下、本発明に係る印刷装置および印刷方法について図面を参照しつつ、いくつかの実施例に基づいて説明する。
【００２１】
図１〜図３を参照して第１の実施例に係る印刷装置を含む印刷処理システムについて説明する。図１は第１の実施例に係る印刷装置を含む印刷処理システムの概略構成を示す説明図である。図２は第１の実施例に係る印刷装置の印刷機構の概略構成および制御機構の概略構成を示す説明図である。図３は第１の実施例に係る印刷装置の制御回路の機能的構成を示すブロック図である。
【００２２】
第１の実施例における印刷処理システムは、画像データ生成装置としてのディジタルスチルカメラ１０、印刷装置２０、３０を備えている。ディジタルスチルカメラ１０は、光電変換素子、Ａ／Ｄコンバータ等によって光学的な被写体情報をディジタルデータ化して画像データとしてメモリカードＭＣに格納する。外部メモリとしてのメモリカードＭＣに格納されている画像データは、メモリカードＭＣが直接、印刷装置２０、３０に装着されることにより、あるいは、ディジタルスチルカメラ１０と印刷装置２０、３０とが接続ケーブルＣＶを介して接続されることによって、印刷装置２０、３０に転送可能になる。
【００２３】
印刷装置２０は、いわゆる複合機能型の印刷装置であり、例えば、通常の画像データを用いた印刷機能、文書等のスキャニング機能、スキャニング機能と印刷機能とを利用したコピー機能を備えている。印刷装置２０は、印刷機能、スキャニング機能、コピー機能を実行するにあたって、パーソナルコンピュータに接続されていることを要しない。一方で、パーソナルコンピュータと接続されることによって、スキャナー、一般的な印刷装置（プリンタ）として機能し得る。
【００２４】
印刷装置２０は、メモリカードＭＣを装着するためのメモリカードスロット（装着部）２１、接続ケーブルＣＶを接続するための入出力端子（入出力部）２２を備えている。メモリカードスロット２１は、メモリカードＭＣの物理的な装着を実現するほか、メモリカードＭＣに対するデータの書き込み、読み出しを実行するインターフェースを備えている。入出力端子２２は、例えば、ＵＳＢ、ＩＥＥＥ等の規格に従う入出力端子である。印刷装置２０は、メモリカードＭＣがメモリカードスロット２１に装着されている場合には、メモリカードＭＣから直接、画像データを読み出す。一方、接続ケーブルＣＶを介してディジタルスチルカメラ１０と接続されている場合には、印刷装置２０は、入出力端子２２、接続ケーブルＣＶ、ディジタルスチルカメラ１０を介してメモリカードＭＣから画像データを読み出す。
【００２５】
印刷装置３０は、いわゆるスタンドアローン型の印刷装置であり、印刷画像データに対する画質調整機能、印刷用画像データの生成機能を備え、パーソナルコンピュータと接続されていなくても、画像データを用いた印刷処理を実行することができる。一方で、パーソナルコンピュータと接続されることによって、一般的な印刷装置（プリンタ）として機能し得る。
【００２６】
印刷装置３０もまた、メモリカードＭＣを装着するためのメモリカードスロット（装着部）３１、接続ケーブルＣＶを接続するための入出力端子（入出力部）３２を備えている。印刷装置３０は、メモリカードＭＣがメモリカードスロット３１に装着されている場合には、メモリカードＭＣから直接、画像データを読み出す。一方、接続ケーブルＣＶを介してディジタルスチルカメラ１０と接続されている場合には、印刷装置３０は、入出力端子３２、接続ケーブルＣＶ、ディジタルスチルカメラ１０を介してメモリカードＭＣから画像データを読み出す。
【００２７】
以下の説明においては、印刷装置２０を例にとって説明するが、印刷装置３０についても同様にして説明することができる。図２および図３を参照して、印刷装置２０の内部構成について詳細に説明する。
【００２８】
第１の実施例に係る印刷装置２０は、カラー画像の出力が可能な印刷装置であり、例えば、シアン（Ｃ）、マゼンタ（Ｍ）、イエロー（Ｙ）、ブラック（Ｋ）の４色の色インクを印刷媒体上に噴射してドットパターンを形成することによって画像を形成するインクジェット方式の印刷装置である。色インクには、上記４色に加えて、ライトシアン（薄いシアン、ＬＣ）、ライトマゼンタ（薄いマゼンタ、ＬＭ）、ダークイエロ（暗いイエロ、ＤＹ）、ライトブラック（明るいブラック、ＬＢ）、レッド、ブルー等を用いても良い。印刷用記録材（インク）は印刷用記録材容器（インクカートリッジＣＡ）に格納されている。なお、第１の実施例では、印刷方式として、インクジェット方式を例にとって説明するが、カラートナーを印刷媒体上に転写・定着させて画像を形成する電子写真方式を用いても良い。
【００２９】
印刷装置２０は、図２に示すように、メモリカードスロット２１、入出力端子２２、ハードディスクドライブ（ＨＤＤ）２３、スキャニング部２４、制御回路２５、操作部２６、印刷部とを備えている。印刷部は、キャリッジ２０１に搭載された印字ヘッドＩＨ１〜ＩＨ４を駆動してインクの吐出およびドット形成を行う機構と、このキャリッジ２０１をキャリッジモータ２０２によってプラテン２０４の軸方向に往復動させる機構と、紙送りモータ２０５によって印刷用紙Ｐを搬送する機構とを備えている。キャリッジ２０１をプラテン２０４の軸方向に往復動させる機構は、プラテン２０４の軸と並行に架設されたキャリッジ２０１を摺動可能に保持する摺動軸２０６と、キャリッジモータ２０２の間に無端の駆動ベルト２０７を張設するプーリ２０８と、キャリッジ２０１の原点位置を検出する位置検出センサ（図示しない）等から構成されている。印刷用紙Ｐを搬送する機構は、プラテン２０４、プラテン２０４を回転させる紙送りモータ２０５、図示しない給紙補助ローラ、紙送りモータ２０５の回転をプラテン２０４および給紙補助ローラに伝えるギヤトレイン（図示省略）から構成されている。
【００３０】
キャリッジ２０１にはインクカートリッジＣＡ１〜ＣＡ４が装着される。インクカートリッジＣＡ１には黒（Ｋ）インクが収容され、インクカートリッジＣＡ２にはシアン（Ｃ）インク、インクカートリッジＣＡ３にはマゼンタ（Ｍ）インク、インクカートリッジＣＡ４にはイエロ（Ｙ）インクが収容されている。なお、既述の通り、この他に、ライトシアン（ＬＣ）インク，ライトマゼンタ（ＬＭ）インク，ダークイエロ（ＤＹ），ライトブラック（ＬＢ）インク、レッド（Ｒ）インク、ブルー（Ｂ）インクのインクカートリッジＣＡが装着されても良い。
【００３１】
メモリカードスロット２１には、メモリカードＭＣの装着を検出する検出スイッチ２１１が備えられている。入出力端子２２には、接続ケーブルＣＶの接続を検出する検出スイッチ２２１が備えられている。これら検出スイッチ２１１、２２１は、後述する、印刷装置２０のメイン電源がオンされていないときに、メイン電源をオンすることなく、メモリカードＭＣに格納されている画像データをＨＤＤ２３に格納する画像データ格納処理を実行するために用いられる。
【００３２】
ＨＤＤ２３は、メモリカードＭＣに格納されている画像データを印刷装置２０に保存しておくための本体記憶装置として機能する。ＨＤＤ２３は、数十ギガバイト以上のデータ記憶容量を有することが好ましい。なお、ＨＤＤ２３の外にも、大容量のデータを格納することができる記憶装置であれば、本体記憶装置として用いることができる。
【００３３】
スキャニング部２４は、例えば、ライン型ＣＣＤセンサによって文書、画像等を走査して、ディジタルデータ化する。第１の実施例において、印刷装置２０は、複合機能型の印刷装置であり、複合機能のうちスキャニング機能、コピー機能を実現するためにはスキャニング部２４を備えることが要求される。
【００３４】
制御回路２５は、印刷装置２０における印刷処理、メモリカードＭＣに格納されている画像データの読み出し・ＨＤＤ２３への格納、ＨＤＤ２３に格納されている画像データの検索処理を実行するための回路である。制御回路２５は、中央処理装置（ＣＰＵ）２５０、ランダムアクセスメモリ（ＲＡＭ）２５１、リードオンリメモリ（ＲＯＭ）２５２、入出力インターフェース（Ｉ／Ｏ）２５３、ＣＰＵ２５０、ＲＡＭ２５１、ＲＯＭ２５２、Ｉ／Ｏ２５３を接続するバス２５４を備えている。
【００３５】
図３に示すように、ＲＯＭ２５２には、データ送信モジュールＭＤ１、画像データ検索モジュールＭＤ２、縮小画像データ生成モジュールＭＤ３、第１画像データ管理モジュールＭＤ４、第２画像データ管理モジュールＭＤ５、電源供給制御モジュールＭＤ６および印刷制御モジュールＭＤ７が格納されている。ＣＰＵ２５０は、データ送信モジュールＭＤ１を実行することによって、メモリカードＭＣに格納されている画像データをＨＤＤへと転送し、画像データ検索モジュールＭＤ２を実行することによってＨＤＤ２３に格納されている画像データの検索を実行する。ＣＰＵ２５０は、縮小画像データ生成モジュールＭＤ３を実行することによって、ＨＤＤ２３に格納される画像データのサムネイル（縮小）画像データを生成し、第１画像データ管理モジュールＭＤ４を実行することによって、生成したサムネイル画像データと画像データとを関連付けてＨＤＤ２３に格納する。ＣＰＵ２５０は、第２画像データ管理モジュールＭＤ５を実行することによって、ＨＤＤ２３に送信操作単位で区画される格納領域を形成し、その形成された格納領域に対してメモリカードＭＣに格納されている画像データを格納する。ＣＰＵ２５０は、電源供給制御モジュールＭＤ６を実行することによって、メイン電源がオンされていない場合におけるメモリカードＭＤからＨＤＤ２３への画像データの転送を実現し、印刷制御モジュールＭＤ７を実行することによって、印刷用画像データを生成し、生成した印刷用画像データに基づいて、紙送りモータ１０５やキャリッジモータ１０３、印字ヘッド１０２の動きを制御する。なお、これら各種モジュールＭＤは、ＲＯＭ２５２に代えて、ＨＤＤ２３に格納されていても良い。
【００３６】
ＣＰＵ２５０は、画像データをＲＡＭ２５１に展開して、画像データに対する画質調整処理、印刷用画像データの生成処理を実行する。ＲＡＭ２５１に展開された画像データは、印刷用画像データを用いた印刷処理が実行されると、クリアされる。Ｉ／Ｏ２５３は、制御回路２５と、メモリカードスロット２１、入出力端子２２、ＨＤＤ２３、スキャニング部２４、操作部２６、印刷部との間におけるデータ、制御コマンドの授受を実現する、物理的、論理的な入出力インターフェースである。
【００３７】
操作部２６は、表示パネル２６１、操作キー２６２を備えている。表示パネル２６１は、所定の解像度のドットマトリクス表示によって画像または各画像データの履歴情報を含む各種情報を表示するカラー表示パネルである。表示パネル２６１には、検索対象となる画像データまたは画像データのサムネイル画像データの画像が表示され、また、印刷装置２０の印刷・コピー・スキャニングの各種機能を実行するためのユーザインタフェース（ソフトキー）が表示される。操作キー２６２は、所望の画像データの選択入力、また、各種機能の選択・実行入力を制御回路２５に対して入力するために用いられる。なお、表示パネル２６１が、入力パネルとしても機能する場合には、表示パネル２６１を介して各種入力が行われても良い。
【００３８】
図４および図５を参照して、印刷装置２０のメモリカードスロット２１にメモリカードＭＣが装着された場合に実行される処理について説明する。図４は印刷装置のメモリカードスロットにメモリカードＭＣが装着された場合に実行される処理ルーチンを示すフローチャートである。図５は印刷装置によって実行される画像データ格納処理の詳細な処理ルーチンを示すフローチャートである。
【００３９】
印刷装置２０のメモリカードスロット２１にメモリカードＭＣが装着されると、検出スイッチ２１１がメモリカードＭＣによって押下げられ、本処理ルーチンが開始される。メイン電源がオンされていない場合には（ステップＳ１００：Ｎｏ）、検出スイッチ２１１の押し下げと機械的に連動する切換回路によって、制御回路２５およびメモリカードスロット２１に対して電力が供給される（ステップＳ１０２）。
【００４０】
制御回路２５に対して電力が供給されると、制御回路２５（ＣＰＵ２５０）はデータ送信モジュールＭＤ１を実行することが可能となり、メモリカードＭＣに格納されている画像データをＨＤＤ２３にコピーまたは移動させる画像データ格納処理を実行して（ステップＳ２０４）、本処理ルーチンを終了する。
【００４１】
ここで、一般的なインクジェット方式の印刷装置では、本体電源がオンされると、印刷処理の準備として、印刷ヘッドの目詰まりを除去または防止するためのクリーニング動作が実行される。印刷ヘッドのクリーニング動作は、例えば、印刷ヘッドのインク吐出孔からインクを吐出させることによって、あるいは、吸引することによって実行される。メモリカードＭＣに格納されている画像データをＨＤＤ２３にコピーまたは移動させる場合には、必ずしも印刷処理が実行されないので、印刷ヘッドのクリーニング動作は不要であり、不要なクリーニング動作によって余分なインクが消費されてしまうおそれがある。これに対して、第１の実施例の印刷装置２０では、メモリカードＭＣが装着された際に、印刷装置２０のメイン電源がオンされていなければ、制御回路２５およびメモリカードスロット２１に対してのみ電力が供給される。したがって、メモリカードＭＣからＨＤＤへと画像データを転送する際には、印刷ヘッドＩＨのクリーニング動作は実行されず、インクの消費を抑制することができる。
【００４２】
一方、メイン電源が既にオンされている場合には（ステップＳ１００：Ｙｅｓ）、ＣＰＵ２５０は、印刷ヘッドＩＨが駆動中であるか否かを判定する（ステップＳ１０６）。印刷ヘッドＩＨが駆動中であるか否かは、キャリッジモータ２０２に対して供給される駆動電圧に基づいて判定されても良く、あるいは、全ての印刷ジョブの完了をもって判定されても良い。ＣＰＵ２５０は、印刷ヘッドＩＨの駆動が停止するまで待機し（ステップＳ１０６：Ｙｅｓ）、印刷ヘッドＩＨの駆動が停止すると（ステップＳ１０６：Ｎｏ）、画像データ格納処理を実行して（ステップＳ１０４）、本処理ルーチンを終了する。
【００４３】
一般的に、印刷ヘッドＩＨの駆動に伴い、印刷装置２０には振動が発生する。データの書き込み／読み出し中は、障害の発生を防止するためにＨＤＤに対して振動・衝撃を与えないことが好ましい。第１の実施例に係る印刷装置２０によれば、印刷ヘッドＩＨの駆動が停止しているときに、画像データ格納処理が実行されるので、データの書き込み／読み出しが実行されているＨＤＤ２３に対して振動・衝撃を与えることがなく、ＨＤＤ２３における損傷の発生を防止することができる。なお、画像データ格納処理中に、印刷ジョブが発生した場合には、画像データ格納処理が完了するまで印刷ジョブの実行を保留、あるいは、画像データ格納処理を中断して印刷ジョブの完了後に再開しても良い。
【００４４】
画像データ格納処理について、図５を参照して詳細に説明する。ＣＰＵ２５０は、ＨＤＤ２３の論理ボリュームに新規のフォルダ領域を作成する（ステップＳ２００）。第１の実施例では、メモリカードＭＣからＨＤＤ２３へと全画像データが送信される送信操作単位毎に、ＨＤＤ２３に新規のフォルダが形成される。ここで、送信操作単位とは、メモリカードＭＣに格納されている全画像データをＨＤＤ２３へと送信する操作、あるいは、メモリカードＭＣがメモリカードスロット２１に装着されてから脱離される期間におけるメモリカードＭＣに格納されている画像データをＨＤＤ２３へと送信する操作を意味する。
【００４５】
ＣＰＵ２５０はメモリカードスロット２１を介してメモリカードＭＣから１つの画像データを読み出し（ステップＳ２０２）、表示パネル２６１の解像度に合わせて縮小画像データ（サムネイル画像データ）を作成する（ステップＳ２０４）。一般的に、ディジタルスチルカメラ１０において生成され、メモリカードＭＣに格納されている画像データはＹＣｂＣｒデータをＪＰＥＧフォーマットによって圧縮したＪｐｅｇデータ、ＴＩＦＦフォーマットに従って記述されたＴＩＦＦデータ、ＲＡＷ（ＲＧＢ）データである。
【００４６】
第１の実施例において、画像データの読み出しは、メモリカードＭＣからＲＡＭ２５１に画像データを移動させることにより、あるいは、メモリカードＭＣに格納されている画像データの複製データを作成しＲＡＭ２５１に格納することにより実行される。第１の実施例におけるサムネイル画像データ作成は、例えば、画像データがＪｐｅｇデータの場合には、ＲＡＭ２５１に格納されている画像データまたは複製画像データを展開し、ＹＣｂＣｒ−ＲＧＢ色変換を実行してＲＧＢ画像データを生成し、生成されたＲＧＢ画像データに対して、ニアレストネイバー法、バイキュービック法、バイリニア法等を用いて、表示パネル２６１の解像度に対応する解像度の縮小ＲＧＢ画像データを生成する解像度変換処理（間引き処理）を実行することにより行われる。なお、縮小ＲＧＢ画像データを用いてＪＰＥＧフォーマットの縮小画像データを生成しても良い。
【００４７】
また、画像データがＲＡＷデータの場合には、ＲＡＭ２５１に格納されているＲＧＢ画像データまたは複製ＲＧＢ画像データの複製画像データを生成し、生成された複製ＲＧＢ画像データに対して、ニアレストネイバー法、バイキュービック法、バイリニア法等を用いて、表示パネル２６１の解像度に対応する解像度の縮小ＲＧＢ画像データを生成する解像度変換処理（間引き処理）を実行することにより行われる。
【００４８】
ＣＰＵ２５０は、生成したサムネイル画像データと先にメモリカードＭＣから読み出した画像データとを関連づけて、作成したフォルダに格納する（ステップＳ２０６）。先にメモリカード２１から読み出された画像データは、元のフォーマットのままＨＤＤ２３に格納されてもよく、あるいは、ＲＧＢ画像データへと変換された後にＨＤＤ２３に格納されても良い。サムネイル画像データと画像データとの関連づけは、例えば、両データを同一のファイルに格納したり、あるいは、サムネイル画像データと画像データとを対応付ける関連づけ情報を別途作成してフォルダ内またはフォルダ外に格納することによって実行される。
【００４９】
ＣＰＵ２５０は、メモリカードＭＣに格納されている全ての画像データの読み出しが完了したか否かを判定し（ステップＳ２０８）、全ての画像データの読み出しが完了していない場合には（ステップＳ２０８：Ｎｏ）、ステップＳ２０２に移行し、メモリカードＭＣにおける次の画像データに対する画像データ格納処理を実行する。一方、ＣＰＵ２５０は、メモリカードＭＣ内の全ての画像データの読み出しが完了したと判定した場合には（ステップＳ２０８：Ｙｅｓ）、本処理ルーチンを終了する。
【００５０】
図６を参照して印刷装置２０において実行される印刷処理について詳細に説明する。図６は第１の実施例に係る印刷装置において実行される印刷処理の処理ルーチンを示すフローチャートである。本処理ルーチンは、例えば、操作キー２６２を介して印刷装置２０をプリンタとして使用するプリントモードが選択されることによって開始される。ＣＰＵ２５０は、メモリカードスロット２１１にメモリカードＭＣが装着されているか否かを判定し（ステップＳ３００）、メモリカードＭＣが装着されていないと判定した場合には（ステップＳ３００：Ｎｏ）、表示パネル２６１にサムネイル画像を表示する（ステップＳ３０２）。ＣＰＵ２５０は、ＨＤＤ２３から順次、サムネイル画像データを取得し、取得したサムネイル画像データを用いて表示パネル２６１にサムネイル画像を表示させる。サムネイル画像データの選択順序は、例えば、撮影時間順序、名前順序、または画像データのファイル形式に基づく順序いずれかであっても良い。
【００５１】
ここで、サムネイル画像データがＲＧＢデータの場合には、ＣＰＵ２５０がサムネイル画像データをそのままディスプレイドライバへと送出することにより表示パネル２６１にサムネイル画像が表示される。一方、サムネイル画像データがＪｐｅｇデータの場合には、ＣＰＵ２５０がサムネイル画像データを展開し、ＲＧＢデータへと変換した後にディスプレイドライバへと送出することにより表示パネル２６１にサムネイル画像が表示される用いて表示パネル２６１にサムネイル画像が表示される。
【００５２】
ＣＰＵ２５０は、メモリカードＭＣが装着されていると判定した場合には（ステップＳ３００：Ｙｅｓ）、図５を用いて説明した画像データ格納処理を実行して（ステップＳ３０４）、ステップＳ３０２へと移行する。すなわち、メモリカードスロット２１１に対してメモリカードＭＣが装着されると、先ず、メモリカードＭＣ内に格納されている画像データをＨＤＤ２３へと送信する画像データ格納処理が実行される。
【００５３】
ＣＰＵ２５０は、例えば、操作キー２６２を介して、次のサムネイル画像の表示が要求されると（ステップＳ３０６：Ｙｅｓ）、表示パネル２６１に次のサムネイル画像を表示して（ステップＳ３０８）、ステップＳ１１０に移行する。ＣＰＵ２５０は、次のサムネイル画像の表示が要求されない場合には（ステップＳ３０６：Ｎｏ）、表示パネル２６１上のサムネイル画像を更新することなくステップＳ１１０に移行する。
【００５４】
ＣＰＵ２５０は、表示パネル２６１に表示されているサムネイル画像が印刷対象となるプリント画像として選択されたか否かを判定し（ステップＳ３１０）、操作キー２６２を介してプリント画像として選択された場合には（ステップＳ３２０：Ｙｅｓ）、ステップＳ３０６へと移行して、次のサムネイル画像の検索を実行する（ステップＳ３０６、Ｓ３０８）。なお、プリント画像として選択されたサムネイル画像のサムネイル画像データと未選択のサムネイル画像データとの区分は、プリント画像として選択されたサムネイル画像データをＲＡＭ２５１に格納することによって、あるいは、選択されたサムネイル画像データに対して選択マークを付与することによって実行されてもよい。選択マークは、サムネイル画像データではなく、画像データに対して付与されても良い。
【００５５】
ＣＰＵ２５０は、表示パネル２６１に表示されているサムネイル画像がプリント画像として選択されない場合には（ステップＳ３１０：Ｎｏ）、操作キー２６２を介してプリント指示が入力されたか否かを判定する（ステップＳ３１２）。ＣＰＵ２５０は、プリント指示が入力されると（ステップＳ３１２：Ｙｅｓ）、選択されたサムネイル画像のサムネイル画像データに関連づけられている画像データをＨＤＤ２３から取得する（ステップＳ３１４）。選択されたサムネイル画像データの選択は、選択マークによって行われても良く、あるいは、ＲＡＭ２５１に格納されているサムネイル画像データを選択されたサムネイル画像データとすることによって実行されても良い。
【００５６】
ＣＰＵ２５０は、プリント指示が入力されない場合には（ステップＳ３１２：Ｎｏ）、操作キー２６２を介して更なる画像選択要求が入力されたか否かを判定し（ステップＳ３１６）、更なる画像選択要求が入力されたと判定する場合には（ステップＳ３１６：Ｙｅｓ）、ステップＳ３０２へと移行する。
【００５７】
更なる画像選択要求が入力されていないと判定する場合には（ステップＳ３１６：Ｎｏ）、ステップＳ１１２へ移行してプリント指示入力の入力を待機する。
【００５８】
ＣＰＵ２５０は、プリントが指示された画像データに対して、画質調整処理を実行して、印刷処理を実行する（ステップＳ３１８）。画質調整処理では、ＲＧＢデータに対して（画像データが非ＲＧＢデータの場合にはＲＧＢデータへの色変換処理が実行された後）、例えば、画像データを画素データ単位にて解析することによって画像データの特徴量（統計値）を取得し、取得した統計値を用いて画像データのコントラスト、シャープネス、明るさ等のパラメータの値を調整する。より具体的には、ＣＰＵ２５０は、取得した特徴量と、各パラメータについて予め用意されている基準値とを用いて、画像データに対する補正量を決定し、決定した補正量を画像データに対して適用することで画質調整処理を実行する。画像データに対する補正量の適用は、例えば、補正量を用いてトーンカーブのカーブを変更し、あるいは、ヒストグラムを変更することによって実行される。ここで、特徴量とは、例えば、画像データがＲＧＢデータである場合には、Ｒ，Ｇ，Ｂの各成分について最大値、最小値、平均値等を意味する。
【００５９】
印刷処理では、ＣＰＵ２５０がプリントドライバを実行することにより、３次元色変換テーブルを用いたＲＧＢ−ＣＭＹＫ色変換処理、ハーフトーン処理、解像度変換処理が実行された後、印刷ヘッドＩＨ、プラテン２０４等を駆動して、画像データを用いた印刷が実行される。
【００６０】
ＣＰＵ２５０は、プリントモードが終了したか否かを判定し（ステップＳ３２０）、プリントモードが終了していない場合には（ステップＳ３２０：Ｎｏ）、ステップＳ３０２に移行してステップＳ３０６〜Ｓ３１８の各ステップを実行する。ＣＰＵ２５０は、プリントモードが終了した場合には（ステップＳ３２０：Ｙｅｓ）、本処理ルーチンを終了する。
【００６１】
以上説明したように、第１の実施例に係る印刷装置２０によれば、ディジタルスチルカメラ１０によって撮像した画像データを印刷装置２０に備えられているＨＤＤ２３に格納（保存）することができる。したがって、印刷装置２０のみを用いて、所望の画像データから印刷媒体上に印刷された画像を得ることができる。すなわち、パーソナルコンピュータを起動させることなく、あるいは、印刷装置２０に対してメモリカードを差し込むことなく、印刷装置２０のみを用いて印刷画像を得ることができる。
【００６２】
上記印刷装置２０によれば、メモリカードＭＣに格納されている画像データをＨＤＤ２３に格納する際に、表示パネル２６１にサムネイル画像を表示するために用いられるサムネイル画像データを生成するので、ＨＤＤ２３に格納されている画像データの検索を容易にすることができる。また、サムネイル画像データを生成する際には、表示パネル２６１の解像度に適合する解像度の画像データを生成するので、画像の内容の判別が容易な見易い画像を表示パネル２６１に表示させることができる。ＪＰＥＧフォーマットに従う画像データにもサムネイル画像が備えられている場合はあるものの、そのサイズは、表示パネル２６１の解像度に適合しておらず、表示パネル２６１に表示する場合には必ずしも見易い表示とすることができない。
【００６３】
上記印刷装置２０によれば、メモリカードＭＣをメモリカードスロット２１に対して装着するだけで、メモリカードＭＣに格納されている画像データをＨＤＤ２３へと転送することができる。したがって、印刷装置２０のＨＤＤ２３を容易に画像データのデータライブラリ化することができると共に、かかるデータライブラリを利用することで、所望の画像データを用いて容易に印刷画像を得ることができる。
【００６４】
・第２の実施例：画像データ格納処理の他の例：
図７を参照して、画像データ格納処理のその他の例について説明する。図７は第２の実施例において実行される画像データ格納処理の他の例において実行される処理ルーチンを示すフローチャートである。第２の実施例においては、メモリカードＭＣに格納されている画像データは、ＨＤＤ２３へ転送（格納）される際に複製され、メモリカードＭＣには元の画像データが残される。また、ＨＤＤ２３へ転送済み（格納済み）の画像データにはＨＤＤ２３へ転送済み（格納済み）であることを示す格納フラグＦｓが付与されている。ＣＰＵ２５０は、ＨＤＤ２３の論理ボリュームに新規のフォルダ領域を作成する（ステップＳ４００）。上記実施例において述べたように、メモリカードＭＣからＨＤＤ２３へと全画像データが送信される送信操作単位毎に、ＨＤＤ２３に新規のフォルダが形成される。
【００６５】
ＣＰＵ２５０は、メモリカードスロット２１を介してメモリカードＭＣから１つの画像データを読み出し（ステップＳ４０２）、格納フラグＦｓが付与されているか否かを判定する（ステップＳ４０４）。ＣＰＵ２５０は、読み出した画像データに格納フラグＦｓ付与されている場合には（ステップＳ４０４：Ｙｅｓ）、メモリカードＭＣから次の画像データを読み出し（ステップＳ４０２）、読み出した画像データに格納フラグＦｓが付与されているか否かを判定する（ステップＳ４０４）。
【００６６】
ＣＰＵ２５０は、読み出した画像データに格納フラグＦｓが付与されていない場合（オフの場合）には（ステップＳ４０４：Ｎｏ）、画像データに対して格納フラグＦｓを付与し、格納フラグを付与した画像データを作成したフォルダに格納する（ステップＳ４０６）。ＣＰＵ２５０は、メモリカードＭＣに格納されている全ての画像データの読み出しが完了したか否かを判定し（ステップＳ４０８）、全ての画像データの読み出しが完了していない場合には（ステップＳ４０８：Ｎｏ）、ステップＳ４０２に移行し、メモリカードＭＣにおける次の画像データに対する画像データ格納処理を実行する。一方、ＣＰＵ２５０は、メモリカードＭＣ内の全ての画像データの読み出しが完了したと判定した場合には（ステップＳ４０８：Ｙｅｓ）、本処理ルーチンを終了する。
【００６７】
上記第２の実施例によれば、メモリカードＭＣに格納されている画像データのうち、ユーザによって選択された画像データの複製画像データがＨＤＤ２３に格納される場合に、既にＨＤＤ２３に格納されている画像データがＨＤＤ２３に再度格納されることを防止することができる。ユーザによっては、メモリカードＭＣにオリジナルの画像データを残しつつ、画像データをＨＤＤ２３に保存、格納する態様を望む場合がある。かかる場合には、第２の実施例に係る画像データ格納処理が有用である。
【００６８】
なお、第２の実施例において、画像データをＨＤＤ２３に格納する際には、第１の実施例と同様にして、表示パネル２６１の解像度に合わせて縮小画像データ（サムネイル画像データ）を作成しても良い。
【００６９】
・他の実施例：
（１）上記各実施例では、印刷装置２０において、ＨＤＤ２３に格納されている画像データを検索する際に、画像データ単位にて画像データを選択し、表示パネルにサムネイル画像を表示しているが、画像データの検索はフォルダ単位にて実行されてもよい。より具体的には、ＣＰＵ２５０は、ＨＤＤ２３に形成されたフォルダを順次選択し、複数の画像データがフォルダに格納されている場合には、任意の画像データのサムネイル画像データを用いて表示パネル２６１にサムネイル画像を表示させる。すなわち、フォルダ単位にて順次、サムネイルを表示させていく。フォルダに１つの画像データのみが格納されている場合には、格納されている画像データのサムネイル画像を表示パネル２６１に表示させる。
【００７０】
上記各実施例においては、メモリカードＭＣがメモリカードスロット２１に装着され、画像データがＨＤＤ２３へと転送され、メモリカードＭＣがメモリカードスロット２１から取り外される送信操作単位にてフォルダが形成される。したがって、フォルダに含まれる複数の画像データの内、任意の画像データについて表示パネル２６１にサムネイル画像を表示させれば、所望の画像データを含むフォルダを特定することが可能となる。フォルダ単位にて所望の画像データを検索する場合には、画像データ単位にて所望の画像データを検索する場合と比較して、検索対象数を大きく低減させることができる。この結果、ＨＤＤ２３に格納されている多数の画像データの中から所望の画像データを迅速に検索し、印刷出力することができる。
【００７１】
（２）上記各実施例では、複合機能型の印刷装置２０を用いて説明したが、スタンドアローン型の印刷装置３０においても同様の作用効果を得ることができる。ただし、スタンドアローン型の印刷装置３０の場合には、プリントモード、コピーモード等のモードの切換は必要なく、図６を参照して説明した印刷処理において、プリントモードの開始、終了の判定は不要となる。
【００７２】
（３）上記各実施例における画像データの格納処理では、メモリカードＭＣに格納されている全ての画像データをＨＤＤ２３へと転送しているが、ユーザによって選択された画像データのみをＨＤＤ２３へと転送するようにしても良い。例えば、ディジタルスチルカメラ１０にて印刷を望む画像データを特定するためのＤＰＯＦ情報を利用して、特定された画像データのみをＨＤＤ２３に転送し、あるいは、画像データを解析して得られる統計値と参照用の統計値とを用いて転送の対象となる画像データを採点し、得点の高い画像データのみをＨＤＤ２３に転送することによって実現され得る。
【００７３】
（４）上記各実施例における画像データの格納処理では、メモリカードスロット２１に装着されたメモリカードＭＣからＨＤＤ２３へと画像データを転送しているが、接続ケーブルＣＶを介して、ディジタルスチルカメラ１０に装着されているメモリカードＭＣからＨＤＤ２３へと画像データを転送しても良い。かかる場合にも、上記第１および第２のと同様の作用効果を得ることができる。
【００７４】
（５）上記実施例では、画像データの生成装置としてディジタルスチルカメラ１０を用いているが、ディジタルビデオカメラ、印刷装置２０，３０とは別体のスキャナを用いても良い。これら各装置の場合にも、生成された静止画像データをメモリカードＭＣに格納することが可能であり、メモリカードＭＣ格納された画像データとして何ら差異はないからである。
【００７５】
（６）上記実施例では、画像データ格納処理を含む印刷処理が印刷処理ソフトウェア、すなわちコンピュータプログラムの態様にて実行されているが、上記各処理（ステップ）を実行する論理回路を備えた印刷処理ハードウェア回路を用いて実行されてもよい。かかる場合には、ＣＰＵ２５０の負荷を軽減することができると共に、より高速な画像処理を実現することができる。画像処理ハードウェア回路は、例えば、印刷装置２０，３０に対して実装回路として実装され得る。
【００７６】
以上、実施例に基づき本発明に係る印刷装置、印刷方法および印刷処理プログラムを説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【００７７】
【図１】第１の実施例に係る印刷装置を含む印刷処理システムの概略構成を示す説明図である。
【図２】第１の実施例に係る印刷装置の印刷機構の概略構成および制御機構の概略構成を示す説明図である。
【図３】第１の実施例に係る印刷装置の制御回路の機能的構成を示すブロック図である。
【図４】第１の実施例に係る印刷装置のメモリカードスロットにメモリカードＭＣが装着された場合に実行される処理ルーチンを示すフローチャートである。
【図５】第１の実施例に係る印刷装置によって実行される画像データ格納処理の詳細な処理ルーチンを示すフローチャートである。
【図６】第１の実施例に係る印刷装置において実行される印刷処理の処理ルーチンを示すフローチャートである。
【図７】第２の実施例において実行される画像データ格納処理の他の例において実行される処理ルーチンを示すフローチャートである。
【符号の説明】
【００７８】
１０…ディジタルスチルカメラ
２０、３０…印刷装置
２１、３１…メモリカードスロット
２２、３２…入出力端子
２３…ハードディスクドライブ（ＨＤＤ）
２４…スキャニング部
２５…制御回路
２５０…中央演算装置（ＣＰＵ）
２５１…ランダムアクセスメモリ（ＲＡＭ）
２５２…リードオンリメモリ（ＲＯＭ）
２５３…Ｉ／Ｏ
２５４…バス
２６…操作部
２６１…表示パネル
２６２…操作部
ＭＤ１…データ送信モジュール
ＭＤ２…画像データ検索モジュール
ＭＤ３…縮小画像データ生成モジュール
ＭＤ４…第１画像データ管理モジュール
ＭＤ５…第２画像データ管理モジュール
ＭＤ６…電源供給制御モジュール
ＭＤ７…印刷制御モジュール
【図１】
2006035611.tif 000003
【図２】
2006035611.tif 000004
【図３】
2006035611.tif 000005
【図４】
2006035611.tif 000006
【図５】
2006035611.tif 000007
【図６】
2006035611.tif 000008
【図７】
2006035611.tif 000009